(57)【要約】【課題】従来の自然葬は、故人の好みの土地や海等に遺灰を巻いたり、あるいは花火と共に遺灰を空中に散布することが増えている。また宇宙葬としてロケットで宇宙空間に遺灰容器を置いてくるというアイデアも有るが、ロケット技術の面で実現されていなかった。【解決の手段】本発明は、商業用ロケットの有効利用を計るものであり、地球から毎晩見える月面の特定地に生前葬を希望する会員本人のＤＮＡ含有物品や遺灰等を搬送容器に入れ、その容器を納入したカプセルをロケットで運び、次いで月面にカプセルを着陸させ、地球上から生前葬希望者又は故人の威徳を忍ぶことのできる新規な宇宙葬システムを提供するものである。【選択図】図１
2004133901.tif 000002
【特許請求の範囲】
【請求項１】
生前葬希望者の物品又は火葬場で発生した遺品を容器に入れ、次いでロケットで搬入して宇宙空間に搬送する宇宙葬において、
　宇宙葬事業者は宇宙葬希望者を募集し月面搬送地を特定して予約する予約ステップと、
　宇宙葬希望者本人又は宇宙葬希望者が亡くなった後に遺族へ搬送容器を送付する容器送付ステップと、
　前記本人又は遺族より搬送容器を受理して保管する保管ステップと、
　搬送ロケットにて前記搬送容器を月面へ搬送する搬送ステップと、
　月面にて予約した特定地に搬送容器を収納したカプセルを設置するカプセル設置ステップと、
　月面に設置後、本人又は遺族に対して経緯を報告する報告ステップと、
からなることを特徴とする月面宇宙葬方法。
【請求項２】
生前葬希望者の物品又は火葬場で発生した遺灰を容器に入れ、次いでロケットで搬入して宇宙空間に搬送する宇宙葬において、
　宇宙葬事業者は宇宙葬希望者を募集し月面搬送地を特定して予約する予約ステップと、
　宇宙葬希望者本人又は宇宙葬希望者が亡くなった後に遺族へ搬送容器を送付する容器送付ステップと、
　前記本人又は遺族より搬送容器を受理して保管する保管ステップと、
　搬送ロケットにて月面へ前記搬送容器を搬送する搬送ステップと、
　月面にて予約した特定地に搬送容器を収納したカプセルを設置するカプセル設置ステップと、
　月面に設置後、本人又は遺族に対して宇宙葬の経緯を報告する報告ステップと、
　本人又は遺族に対して命日毎の報告をする命日報告ステップと、
　本人又は遺族の慰霊の希望を受けた場合に、月面のカプセル画面をインターネット通信網で本人又は遺族の端末に配信するカプセル画面配信ステップと、
　からなることを特徴とする月面宇宙葬方法。
【請求項３】
生前葬希望者の物品又は火葬場で発生した遺灰を容器に入れ、次いでロケットで搬入して宇宙空間に搬送する宇宙葬システムにおいて、
　宇宙葬事業者のサーバコンピュータは、宇宙葬を希望する会員の登録及び搬送地である月面の特定地を管理する登録・管理手段と、
　宇宙葬希望者本人又は宇宙葬希望者が亡くなった後に遺族へ搬送容器を送付後、受理して保管する位牌管理手段と、
　搬送ロケット内で特定地毎にわけて搭載する搭載管理手段と、
　月面にて予約した特定地に位牌容器を収納したカプセルを設置するカプセル設置手段と、
　月面に設置後、本人又は遺族に対して経緯を報告する報告管理手段と、
を有してなることを特徴とする月面宇宙葬システム。
【請求項４】
前記月面にて予約した特定地に位牌容器を収納したカプセルを設置する設置管理手段は、予め特定地毎に分けられた位牌容器を個別のカプセル容器内に納入し、該カプセルを月面に着陸させることを特徴とする請求項３記載の月面宇宙葬システム。
【請求項５】
生前葬希望者の物品又は火葬場で発生した遺灰を容器に入れ、次いでロケットで搬入して宇宙空間に搬送する宇宙葬システムにおいて、
　宇宙葬事業者のサーバコンピュータは、宇宙葬を希望する会員の登録及び搬送地である月面の特定地を管理する登録・管理手段と、
　宇宙葬希望者本人又は宇宙葬希望者が亡くなった後に遺族へ搬送容器を送付後、受理して保管する位牌管理手段と、
　搬送ロケットで特定地毎にわけて搬送容器を収納したカプセルを搭載する搭載管理手段と、
　月面にて予約した特定地に、搬送容器を収納したカプセルを設置するカプセル設置手段と、
　月面に設置後、本人又は遺族に対して経緯を報告する報告管理手段と、
　本人又は遺族に対して命日毎の報告を命日管理手段と、
　本人又は遺族より慰霊の希望を受けた場合に月面のカプセル画面をインターネット通信網で本人又は遺族の端末に配信するカプセル画面配信手段と、
　を有してなることを特徴とする月面宇宙葬システム。
【請求項６】
前記搬送容器に入れるものは、生前葬希望者の本人ＤＮＡ含有物品、希望品、或いは故人の位牌、遺髪、遺品等遺族の希望品であることを特徴とする請求項４〜請求項５に記載の月面宇宙葬システム。
【発明の詳細な説明】
【技術分野】
【０００１】
　本発明は、宇宙葬を望む人々への宇宙葬システムに監視、さらに詳しくは、生前葬希望者又は遺族が地球側からみれる月面へ位牌等を入れた搬送容器を収納したカプセルを搬送して、本人又は遺族が長らく追悼できるようにした月面宇宙葬システムに関するものである。
【背景技術】
【０００２】
　従来の日本国内における葬儀は古くはその死亡地における土葬が行われ、近年では、遺体を焼却後遺灰にして遺族毎の墓地に埋葬して入れするのが通常であった。
　さらに核家族化が進み、また古い因習にとらわれない人々は墓地での埋葬にとらわれないで、好みの土地、あるいは海上で遺灰をまいて葬儀自体を簡略にする葬儀スタイルや花火と共に天空中に散骨する葬儀方法もみられるようになってきた。
【０００３】
　特開平１１−１３７４１１号「遺灰散骨方法及び装置」や特開２００１−２４５９４０号「散骨装置及び該装置を用いた葬儀方法」には、遺骨や遺灰を煙火玉と共に打ち上げて天空中で美しく散骨する葬儀手段が開示されている。
【０００４】
　また特開２００１−２７６１５４号「葬儀方法及び遺灰収納具」には、海上において、船舶の側面デッキからシュータを海面上に出し、該シューターから遺灰を収納した遺灰収納具を海に進水させた後、海面上を漂う遺灰収納具は時間と共に分解され、海中に解け自然に還って行く葬儀方法が開示されているように、自然との融合、生命の永久循環という日本人本来のエコロジー思想に基づく葬儀方法も提案されている。
【特許文献１】特開平１１−１３７４１１号
【特許文献２】特開２００１−２４５９４０号
【特許文献３】特開２００１−２７６１５４号
【発明の開示】
【発明が解決しようとする課題】
【０００５】
　さらに特開平５−１１５５１６号に開示されるように、宇宙葬事業者が会員や遺族から預かった遺品や遺骨をロケット等で宇宙に搬送するシステムも考えられるようになってきた。
【０００６】
　上記の宇宙空間への遺骨等の搬送手段は、単にロケットで宇宙空間へ打ち上げ移送されるという記載があるのみで、ロケットで搬送した容器を宇宙空間で漂流したり、容器が破損して内部の遺骨等が散逸しても良いとするシステムであった。
【０００７】
　このため一旦、宇宙空間に移送された容器等は宇宙空間のどの位置に存在するのかについては、宇宙葬事業者自体にも、当然遺族にも知りようがないという問題があった。
【０００８】
　このために宇宙葬事業者は、遺族のために宇宙葬用の墓地を別途地球上に整理して、墓碑や記念碑を設け遺族に対して長年供養ができるようにするというシステムであるが、宇宙葬事業者及び遺族にとって費用負担が高く付くという欠点があった。
【課題を解決するための手段】
【０００９】
　本発明者は、係る課題を解決するために鋭意研究したところ、近年の宇宙産業の発展技術を応用して生前葬を希望する本人のＤＮＡ含有物又は故人の月面へ位牌等の搬送容器を搬送し、本人又は遺族にとって長年にわたって供養ができる宇宙葬システムを提供するものである。
【００１０】
　すなわち本発明の第一は、生前葬希望者の物品又は火葬場で発生した遺品を容器に入れ、次いでロケットで搬入して宇宙空間に搬送する宇宙葬において、
　宇宙葬事業者は宇宙葬希望者を募集し月面搬送地を特定して予約する予約ステップと、
　宇宙葬希望者本人又は宇宙葬希望者が亡くなった後に遺族へ搬送容器を送付する容器送付ステップと、
　前記本人又は遺族より搬送容器を受理して保管する保管ステップと、
　搬送ロケットにて前記搬送容器を月面へ搬送する搬送ステップと、
　月面にて予約した特定地に搬送容器を収納したカプセルを設置するカプセル設置ステップと、
　月面に設置後、本人又は遺族に対して経緯を報告する報告ステップと、
からなることを特徴とする月面宇宙葬方法である。
【００１１】
　本発明の第二は、生前葬希望者の物品又は火葬場で発生した遺灰を容器に入れ、次いでロケットで搬入して宇宙空間に搬送する宇宙葬において、
　宇宙葬事業者は宇宙葬希望者を募集し月面搬送地を特定して予約する予約ステップと、
　宇宙葬希望者本人又は宇宙葬希望者が亡くなった後に遺族へ搬送容器を送付する容器送付ステップと、
　前記本人又は遺族より搬送容器を受理して保管する保管ステップと、
　搬送ロケットにて月面へ前記搬送容器を搬送する搬送ステップと、
　月面にて予約した特定地に搬送容器を収納したカプセルを設置するカプセル設置ステップと、
　月面に設置後、本人又は遺族に対して宇宙葬の経緯を報告する報告ステップと、
　本人又は遺族に対して命日毎の報告をする命日報告ステップと、
　本人又は遺族の慰霊の希望を受けた場合に、月面のカプセル画面をインターネット通信網で本人又は遺族の端末に配信するカプセル画面配信ステップと、
　からなることを特徴とする月面宇宙葬方法である。
【００１２】
　本発明の第三は、生前葬希望者の物品又は火葬場で発生した遺灰を容器に入れ、次いでロケットで搬入して宇宙空間に搬送する宇宙葬システムにおいて、
　宇宙葬事業者のサーバコンピュータは、宇宙葬を希望する会員の登録及び搬送地である月面の特定地を管理する登録・管理手段と、
　宇宙葬希望者本人又は宇宙葬希望者が亡くなった後に遺族へ搬送容器を送付後、受理して保管する位牌管理手段と、
　搬送ロケット内で特定地毎にわけて搭載する搭載管理手段と、
　月面にて予約した特定地に位牌容器を収納したカプセルを設置するカプセル設置手段と、
　月面に設置後、本人又は遺族に対して経緯を報告する報告管理手段と、
を有してなることを特徴とする月面宇宙葬システムである。
【００１３】
　本発明の第四は、前記月面にて予約した特定地に位牌容器を収納したカプセルを設置する設置管理手段は、予め特定地毎に分けられた位牌容器を個別のカプセル容器内に納入し、該カプセルを月面に着陸させることを特徴とする請求項３記載の月面宇宙葬システムである。
【００１４】
　本発明の第五は、生前葬希望者の物品又は火葬場で発生した遺灰を容器に入れ、次いでロケットで搬入して宇宙空間に搬送する宇宙葬システムにおいて、
　宇宙葬事業者のサーバコンピュータは、宇宙葬を希望する会員の登録及び搬送地である月面の特定地を管理する登録・管理手段と、
　宇宙葬希望者本人又は宇宙葬希望者が亡くなった後に遺族へ搬送容器を送付後、受理して保管する位牌管理手段と、
　搬送ロケットで特定地毎にわけて搬送容器を収納したカプセルを搭載する搭載管理手段と、
　月面にて予約した特定地に、搬送容器を収納したカプセルを設置するカプセル設置手段と、
　月面に設置後、本人又は遺族に対して経緯を報告する報告管理手段と、
　本人又は遺族に対して命日毎の報告を命日管理手段と、
　本人又は遺族より慰霊の希望を受けた場合に月面のカプセル画面をインターネット通信網で本人又は遺族の端末に配信するカプセル画面配信手段と、
　を有してなることを特徴とする月面宇宙葬システムである。
【００１５】
　本発明の第六は、前記搬送容器に入れるものは、生前葬希望者の本人ＤＮＡ含有物品、希望品、或いは故人の位牌、遺髪、遺品等遺族の希望品であることを特徴とする請求項４〜請求項５に記載の月面宇宙葬システムである。
【発明の効果】
【００１６】
　現在では遠距離の一族の墓地に埋葬して墓参りも十分できなかった遺族であっても、本発明により地球から月面を仰ぎみて故人の思い出にふけることも可能となるという効果を有するものである。
【００１７】
　会員及び会員の遺族にとっても、宇宙葬事業者へ位牌等の搬送容器を預けた後の管理はなくなるので、従前のような葬儀に対する煩わしさが少なくなるという効果をあわせて有するものである。
【００１８】
　宇宙葬事業者からの命日の連絡を受け慰霊を希望する場合には、宇宙衛星を介して月面の祭壇や付近の映像等を、遺族の端末画面で見ることができることから、その都度、故人の慰霊が容易に成されるという効果を有するものである。
【００１９】
　生前葬を希望する本人にとっては、自分のＤＮＡ含有物品である遺髪、爪等の人体の一部をプレートに挟み込んで将来の医学の進歩を待って再現する夢に掛けることも可能であり、そのほかに自分の希望するものを搬送容器に入れて月面に送付し、家族や友人、知人と生前葬を催すことも可能となるものである。
【発明を実施するための最良の形態】
【００２０】
　第１図は、本発明の月面宇宙葬システムを示す説明図である。宇宙葬事業者は、月面での宇宙葬を希望する顧客をインターネット上や電話等で予約し（予約ステップ）、会員登録を行い、会員本人からの連絡又は会員の死去の連絡を遺族から受けた場合に遺族へ搬送容器を送付したり、あるいは既に故人となっている遺族からの申し込みを受けて前記容器を送付することも当然含まれる（容器送付ステップ）。
【００２１】
　この場合、宇宙葬事業者は、予め宇宙葬希望者（以下、宇宙葬会員という）に月面の特定地を宇宙葬会員に選択してもらい会員登録を行う。
【００２２】
　宇宙葬会員本人又は宇宙葬会員の死亡が遺族より通知された場合に、宇宙葬事業者は搬送容器を送付して遺族に遺灰や遺骨、あるいは生前の愛用物を容器自体に納入してもらった後に受領し、保管所にて一定期日保管する（保管ステップ）。
【００２３】
　またＤＮＡ含有物品としては、生前葬希望者の毛髪等の生体物の一部の他、本人或いは故人のＤＮＡ配列を記載した位牌プレート、或いはＤＮＡ配列をカプセル自体の壁等に印字したものを含んでいる。
【００２４】
　この場合、搬送容器の保管は、予めカプセル内に保管するが、このカプセルは、耐強性に優れた素材から作られる、例えば一例として直径３０ｃｍ円球体底部を台座で固定したものであるが、このカプセル自体が１個の小墓地を兼ねている。
【００２５】
　次いで一定数の位牌容器の数が揃った段階で、商業ロケット、たとえばＨ２ロケット（日本）や他の国の商業ロケット等を利用して、前記の複数のカプセルを整理してロケットに搬入し、月の軌道に搬送する（搬送ステップ）。
【００２６】
　本ロケットから分離された小ロケットは、地球から直接予め決められた月面の特定地に着陸させてその特定地に設置される（カプセル設置ステップ）が、位牌容器自体はカプセル内に納入されているため、月面での汚染を受けることはない。
【００２７】
　カプセルの設置作業が終了した報告を受けた宇宙葬事業者は、会員本人又は遺族に対して月面においてカプセルが設置されて会員の搬送品が祭られていることを報告する（報告ステップ）が、たとえば３０日、４７日、１年祭、３年祭等の区切りの命日毎に、Ｅメール等で通知することが好ましい（命日報告ステップ）。
【００２８】
　宇宙葬事業者は、会員本人又は遺族の慰霊の希望を受けた場合に、月面のカプセル画面をインターネット通信網で遺族の端末に配信する（カプセル画面配信ステップ）が、この場合、通信手段としては、地球と月の間に静止する通信衛星を介して祭壇に設けた自動カメラを宇宙葬事業者の司令室から遠隔操作すると共に、前記自動カメラによって映写された会員の特定カプセルの位置、祭壇、祭壇付近、月から見た地球等の写された映像写真を編集して、遺族のコンピュータ端末から見られるようにしている。
【００２９】
　また本発明の宇宙葬システムとしては、宇宙葬事業者のサーバコンピュータは、宇宙葬を希望する会員の登録及び搬送地である月面の特定地を管理する登録・管理手段と、会員本人又は希望者が亡くなった後に遺族へ搬送容器を送付後、受理して保管する位牌管理手段と、搬送ロケット内で特定地毎にわけて搭載する搭載管理手段と、月面にて予約した特定地にカプセル化した位牌容器を設置するカプセル設置手段と、搬入後に会員本人又は遺族に対して経緯を報告する報告管理手段と、会員本人又は遺族に対して命日毎の報告を命日管理手段と、会員本人又は遺族より慰霊の希望を受けた場合に月面のカプセル画面をインターネット通信網で会員本人又は遺族の端末に配信するカプセル画面配信手段と、を有している。
【００３０】
　この宇宙葬システムにより、宇宙葬事業者は、会員及び会員の遺族に対して月面での宇宙葬を提供できると共に、命日等の情報を故人会員毎に通知できるものである。
【００３１】
　さらに遺族側からすれば命日の連絡を受けた場合に、指定されたインターネット通信網を利用して指定アドレスに繋ぐと、月面の祭壇や付近の地形、あるいは月面から見た地球の映像が、顧客の端末画面に表示される。
【００３２】
　なお月面に着陸した小ロケット内部から外部に向けてアドバルーンを上げておくと、地球上から天体望遠鏡で見ることが可能であり、遺族にとってその都度自由に位置を確認できるものである。
【図面の簡単な説明】
【００３３】
【図１】本発明の月面宇宙葬システムを示す説明図である。
【符号の説明】
【００３４】
１・・・会員端末
２・・・遺族端末
３・・・プロバイダ
４・・・インターネット通信網
５・・・携帯電話サーバ
６・・・事業者中央サーバコンピュータ
７・・・データベース
８・・・事業者コンピュータ
９・・・保管場所コンピュータ
１０・・不正アクセス防止システム
１１・・データ蓄積用ＣＤ−ＲＯＭ
１２・・ロケット
１３・・月　
１４・・通信衛星
【図１】
2004133901.tif 000003